(57)【特許請求の範囲】
【請求項１】
筐体状に構成された本体部と、該本体部が保持される保持部と、本体部又は保持部のいずれかに設けられるスイッチとを備え、
前記本体部は、筐体と、該筐体に設けられて、ピッキング情報を表示する表示部と、外部通信機器と通信して前記表示部を制御する通信制御部とを有し、
前記スイッチは、非押下状態では、通信制御部から外部通信機器への作業情報の送信を待機状態とし、押下状態になると、前記送信が実行されるように切換えられ、かつ、前記切換えが筐体と保持部との協働でなされるよう構成され、
本体部は、前記保持部に対して、前記スイッチが非押下状態となる待機位置に位置していて、かつ、保持部が配置されている側に外部から押されることで、スイッチが筐体と保持部との協働で押下されて押下状態となる押下位置に移動するように保持されており、
前記筐体は、前面部と、該前面部に対向する後面部と、前面部と後面部とを連結し、対向配置される一対の側面部とを備え、
前記スイッチは、前記後面部に配置され、前記保持部は、前記本体部の後方側に配置されており、
保持部は、本体部の前記待機位置から前記押下位置への移動が後方向の移動となり、かつ、前記移動における筐体の一方の側面部側の移動距離よりも他方の側面部側の移動距離の方が大きくなるように本体部を保持することを特徴とするピッキング用の表示装置。
【請求項２】
筐体状に構成された本体部と、該本体部が保持される保持部と、本体部又は保持部のいずれかに設けられるスイッチとを備え、
前記本体部は、筐体と、該筐体に設けられて、ピッキング情報を表示する表示部と、外部通信機器と通信して前記表示部を制御する通信制御部とを有し、
前記スイッチは、非押下状態では、通信制御部から外部通信機器への作業情報の送信を待機状態とし、押下状態になると、前記送信が実行されるように切換えられ、かつ、前記切換えが筐体と保持部との協働でなされるよう構成され、
本体部は、前記保持部に対して、前記スイッチが非押下状態となる待機位置に位置していて、かつ、保持部が配置されている側に外部から押されることで、スイッチが筐体と保持部との協働で押下されて押下状態となる押下位置に移動するように保持されており、
前記筐体は、前面部と、該前面部に対向する後面部とを備え、
前記表示部は、発光可能に構成される発光部を備え、
前記発光部は、前後方向と交わる左右方向の中央部側の領域が左右方向の両端部よりも前方向に膨出するアーチ状をなす導光部であって、前記中央部側が筐体の前面部から筐体外に膨出するように筐体に取り付けられる導光部と、該導光部の左右方向の両端部近傍に設けられて導光部を照射する光源とを有していることを特徴とするピッキング用の表示装置。
【発明の詳細な説明】
【技術分野】
【０００１】
本発明は、物品のピッキング作業を支援するためのピッキング用の表示装置に関する。
【背景技術】
【０００２】
従来、この種のピッキング用の表示装置として、筐体状の本体部と、該本体部を支持体に取り付ける取付手段とを備え、本体部が取付手段を用いて支持体に取り付けられて固定されたピッキング用の表示装置が知られている（例えば、特許文献１、特許文献２）。かかるピッキング用の表示装置は、物品のピッキング作業を支援するために用いられる。
【０００３】
具体的には、ピッキング用の表示装置は、本体部が、筐体と、ピッキング情報を表示する表示部と、筐体内に収納され、外部通信機器と通信して前記表示部を制御する通信制御部と、非押下状態では、通信制御部から外部通信機器への作業情報の送信を待機状態とし、押下状態になると、前記送信が実行されるように切換えるよう構成され、筐体に設けられるスイッチとを備える。筐体は、正面視略長方形の箱体をなしており、スイッチ及び表示部が配置される前面部と、該前面部に対向する後面部と、前面部と後面部との左右（長手）方向並びに上下（短手）方向の端部同士を前後方向に連結する四つの側面部とを有する。かかる本体部は、前面部が手前側に配置されるように、後面部側が取付手段を用いて支持体の前面に取り付けられて支持されている。尚、ピッキング情報は、ピッキング対象となる物品を明示する情報、或いはピッキング対象の物品をピッキングする数量や個数などの情報である。作業情報は、例えばピッキング作業が完了したことを示す情報である。また、支持体は、例えば収納棚であり、仕切り部材によって上下左右が仕切られて、複数の収納スペース（以下、間口）が升目状に形成されて構成されている。
【０００４】
このようなピッキング用の表示装置では、ピッキング作業において、まず通信制御部が外部通信機器（例えば制御用コンピュータなど）から送信されたピッキング情報を受信する。そして、通信制御部の制御に基づき、表示部がピッキング情報を表示する。作業者は、表示部のピッキング情報を見て、支持体の間口に物品を納める或いは間口から物品を取り出すピッキング作業を実施する。ピッキング作業を終えると、作業者は、作業が完了したことを外部通信機器に知らせるためにスイッチを押す。すると、通信制御部は、作業完了の信号を外部通信機器に送信し、表示部は、通信制御部の制御に基づいてピッキング情報を非表示にする。そして、外部通信機器は、次のピッキング情報を通信制御部に送信する。
【先行技術文献】
【特許文献】
【０００５】
【特許文献１】特開２００６−２６４８３６号公報
【特許文献２】特開２００６−２９８５６０号公報
【発明の概要】
【発明が解決しようとする課題】
【０００６】
しかしながら、上記従来のピッキング用の表示装置にあっては、ピッキング作業を終えた時に作業者が押すスイッチは、筐体の前面部の一部に配置されているので、ピッキング作業を終えた作業者は、前面部上のスイッチを探して押す必要があり、その分だけ作業時間にロスが生じて作業が滞ってしまう。即ち、従来のピッキング用の表示装置では、作業者によるスイッチの操作効率が悪いが故に作業効率が低下し、この点で改善の余地があった。
【０００７】
そこで、本発明は、上記点に鑑みてなされたもので、スイッチの操作効率を向上させることで、作業効率を向上させることができるピッキング用の表示装置を提供することを課題とする。
【課題を解決するための手段】
【０００８】
本発明に係るピッキング用の表示装置は、上記課題を解決するためになされたもので、筐体状に構成された本体部と、該本体部が保持される保持部と、本体部又は保持部のいずれかに設けられるスイッチとを備え、前記本体部は、筐体と、該筐体に設けられて、ピッキング情報を表示する表示部と、外部通信機器と通信して前記表示部を制御する通信制御部とを有し、前記スイッチは、非押下状態では、通信制御部から外部通信機器への作業情報の送信を待機状態とし、押下状態になると、前記送信が実行されるように切換えられ、かつ、前記切換えが筐体と保持部との協働でなされるよう構成され、本体部は、前記保持部に対して、前記スイッチが非押下状態となる待機位置に位置していて、かつ、保持部が配置されている側に外部から押されることで、スイッチが筐体と保持部との協働で押下されて押下状態となる押下位置に移動するように保持されており、前記筐体は、前面部と、該前面部に対向する後面部と、前面部と後面部とを連結し、対向配置される一対の側面部とを備え、前記スイッチは、前記後面部に配置され、前記保持部は、前記本体部の後方側に配置されており、保持部は、本体部の前記待機位置から前記押下位置への移動が後方向の移動となり、かつ、前記移動における筐体の一方の側面部側の移動距離よりも他方の側面部側の移動距離の方が大きくなるように本体部を保持することを特徴とする。
【０００９】
かかる構成からなるピッキング用の表示装置にあっては、表示部に表示されたピッキング情報に従って作業がなされ、例えば作業が終了した時などに、スイッチを押下して作業情報を外部通信機器に送信できる。
【００１０】
ここで、本体部は、スイッチが非押下状態となる待機位置に位置していて、かつ、保持部が配置されている側に外部から押されることで、スイッチが筐体と保持部との協働で押下されて押下状態となる押下位置に移動するように保持部に保持されているので、本体部のどこを押してもスイッチを筐体と保持部との協働で押下できる。よって、スイッチを探す手間を省くことができ、作業効率を向上させることができる。
また、本体部の前記待機位置から前記押下位置への移動における、筐体の一方の側面部側の移動距離よりも他方の側面部側の移動距離の方が大きいので、移動距離を異ならせることによって、本体部を押す感覚を分かり易くすることができる。しかも、本体部を押す感覚を分かり易くすべく本体部全体を大きく移動させることを要さないので、ピッキング用の表示装置の大型化を抑制（即ち、小型化）することができる。
【００１１】
また、本発明に係るピッキング用の表示装置は、筐体状に構成された本体部と、該本体部が保持される保持部と、本体部又は保持部のいずれかに設けられるスイッチとを備え、前記本体部は、筐体と、該筐体に設けられて、ピッキング情報を表示する表示部と、外部通信機器と通信して前記表示部を制御する通信制御部とを有し、前記スイッチは、非押下状態では、通信制御部から外部通信機器への作業情報の送信を待機状態とし、押下状態になると、前記送信が実行されるように切換えられ、かつ、前記切換えが筐体と保持部との協働でなされるよう構成され、本体部は、前記保持部に対して、前記スイッチが非押下状態となる待機位置に位置していて、かつ、保持部が配置されている側に外部から押されることで、スイッチが筐体と保持部との協働で押下されて押下状態となる押下位置に移動するように保持されており、前記筐体は、前面部と、該前面部に対向する後面部とを備え、前記表示部は、発光可能に構成される発光部を備え、前記発光部は、前後方向と交わる左右方向の中央部側の領域が左右方向の両端部よりも前方向に膨出するアーチ状をなす導光部であって、前記中央部側が筐体の前面部から筐体外に膨出するように筐体に取り付けられる導光部と、該導光部の左右方向の両端部近傍に設けられて導光部を照射する光源とを有していることを特徴とする。
【００１２】
かかる構成からなるピッキング用の表示装置にあっては、表示部に表示されたピッキング情報に従って作業がなされ、例えば作業が終了した時などに、スイッチを押下して作業情報を外部通信機器に送信できる。
ここで、本体部は、スイッチが非押下状態となる待機位置に位置していて、かつ、保持部が配置されている側に外部から押されることで、スイッチが筐体と保持部との協働で押下されて押下状態となる押下位置に移動するように保持部に保持されているので、本体部のどこを押してもスイッチを筐体と保持部との協働で押下できる。よって、スイッチを探す手間を省くことができ、作業効率を向上させることができる。
また、導光部が、左右方向の中央部側の領域が両端部側よりも前方向に膨出するアーチ状をなし、前記中央部側が筐体の前面部から筐体外に膨出するように筐体に取り付けられており、光源が、導光部の左右方向の両端部近傍から導光部を照射するので、導光部は、左右方向の中央部側が筐体の前面部と段差をなすように筐体外に膨出した状態で発光する。よって、作業者は、筐体の前面部を正面とした上下左右のあらゆる方向から、筐体外に膨出した導光部の発光を容易に認識することができ、従って、作業効率を向上させることができる。
【発明の効果】
【００１５】
以上のように、本発明に係るピッキング用の表示装置によれば、本体部は、スイッチが非押下状態となる待機位置で保持されていて、かつ、保持部が配置されている側に外部から押されることで、スイッチが筐体と保持部との協働で押下されて押下状態となる押下位置に移動可能な状態で保持部に保持されているので、本体部のどこを押してもスイッチを筐体と保持部との協働で押下できる結果、スイッチの操作効率を向上させることができて、作業効率を向上させることができるという効果を奏する。
【図面の簡単な説明】
【００１６】
【図１】本発明の一実施形態に係るピッキング作業を支援するピッキング支援システムの概略図であって、（ａ）はピッキング支援システムの構成を示す概略ブロック図、（ｂ）はピッキング用の表示装置が設けられる収納棚の正面図を示す。
【図２】本発明の一実施形態に係るピッキング用の表示装置の概略全体図であって、（ａ）は正面側の斜視図、（ｂ）は背面側の斜視図を示す。
【図３】同実施形態に係るピッキング用の表示装置における本体部を示す図であって、（ａ）は正面図、（ｂ）は背面図を示す。
【図４】同実施形態に係るピッキング用の表示装置における本体部を示す図であって、（ａ）は側面図、（ｂ）は図３のＡ−Ａ線断面図を示す。
【図５】同実施形態に係るピッキング用の表示装置における保持部を示す図であって、（ａ）は正面図、（ｂ）は背面図を示す。
【図６】同実施形態に係るピッキング用の表示装置における保持部を示す図であって、（ａ）は平面図、（ｂ）は（ａ）及び図５のＢ−Ｂ線断面図を示す。
【図７】同実施形態に係るピッキング用の表示装置の本体部が保持部に保持されて待機位置に位置している状態を示す図であって、（ａ）は正面図、（ｂ）は（ａ）のＣ−Ｃ線断面図、（ｃ）は（ａ）のＤ−Ｄ線断面図を示す。
【図８】同実施形態に係るピッキング用の表示装置の本体部が保持部に保持されて押下位置に位置している状態を示す図であって、（ａ）は正面図、（ｂ）は（ａ）のＥ−Ｅ線断面図、（ｃ）は（ａ）のＦ−Ｆ線断面図を示す。
【発明を実施するための形態】
【００１７】
以下、本発明に係るピッキング用の表示装置の一実施形態について、図面を参酌しつつ説明する。
【００１８】
図１（ａ）及び（ｂ）に、本実施形態におけるピッキング用の表示装置を用いたピッキング支援システムが示されている。該ピッキング支援システムは、外部通信機器１０１〜１０ｎ，２０１〜２０ｍと、該外部通機器に通信可能に接続され、収納棚Ｓの各間口Ｓ１〜Ｓｘに設けられる複数のピッキング用の表示装置３１１〜３１ｘ，３２１〜３２ｙ，…，３ｍ１〜３ｍｚとからなる。尚、外部通信機器は、１又は複数のホストコンピュータ１０１〜１０ｎと、該ホストコンピュータにＬＡＮケーブルを介して通信可能に接続される１又は複数の端末コンピュータ２０１〜２０ｍとから構成されている。
【００１９】
かかるピッキング支援システムの動作について簡単に説明しておくと、ホストコンピュータ１０１〜１０ｎ（端末コンピュータ２０１〜２０ｍ経由）から送信されるピッキング作業情報に基づき、物品のピッキングを行うべき棚Ｓの特定の間口に配置された表示装置が発光してピッキング数量を表示する。作業者は、この表示装置を見てピッキング作業を行う。また、作業者は、当該間口におけるピッキング作業を終えると、表示装置のスイッチ（作業完了確認スイッチ）を押す。そうすると、当該表示装置から、端末コンピュータ２０１〜２０ｍ経由でホストコンピュータ１０１〜１０ｎに作業完了の情報が送信される。ホストコンピュータ１０１〜１０ｎは、前記作業完了の情報を受信後、次にピッキング作業を行うべき棚Ｓの特定の間口に設置された表示装置に対して、次のピッキング作業に対応する情報を送信する。本ピッキング支援システムでは、上記動作を繰り返し行う。
【００２０】
尚、かかるピッキング支援システムは、例えば、多種類の食品が収納棚に収納されている倉庫（例えば冷蔵庫など）内に設けられるもので、前記食品をピッキング対象物品としている。そのため、本実施形態におけるピッキング支援システムは、ピッキング作業中に、収納棚やピッキング支援システムを構成する部材に水滴が付着して濡れ易くなっている。
【００２１】
図２に、本実施形態におけるピッキング用の表示装置が示されている。このピッキング用の表示装置は、筐体状の本体部１と、該本体部１が保持される保持部２とを備えており、支持体３（収納棚の各間口Ｓ１〜Ｓｘ）に取り付けられてピッキング作業に用いられる。
【００２２】
図３及び図４に、本体部１が示されている。本体部１では、図３（ａ）の正面図を基準にして、上下方向と左右方向を規定し、紙面表裏方向を前後方向（厚み方向）と規定する。本体部１は、直方体状の筐体１１と、筐体１１内に収納され且つ前後方向の前方側に設けられ、ピッキング情報を表示する表示部１２，１３と、筐体１１内に収納され前後方向の中央側に設けられ、外部通信機器（図示せず）と通信して表示部１２，１３を制御する通信制御部１４とを有する。また、本体部１は、筐体１１内に収納され且つ前後方向の後方側に設けられ、非押下状態では、通信制御部１４から外部通信機器への作業情報の送信を待機状態とし、押下状態になると、前記送信が実行されるように切換えるよう構成されるスイッチ１５を有する。
【００２３】
筐体１１は、正面視略長方形の箱体であり、正面視における左右方向の長さが上下方向の長さよりも長く形成されている。具体的には、筐体１１は、正面視における前後方向の前方側（手前側）に設けられる前面部１１ａと、後方側（奥側）に設けられる後面部１１ｂと、前面部１１ａ及び後面部１１ｂを前後方向で連結する側面部１１ｃ（図３（ａ）参照）とを備え、前面部１１ａと後面部１１ｂとは、前後方向に離間して略平行に対向して配置されている。
【００２４】
前面部１１ａは、正面視略長方形の平板状をなしている。前面部１１ａの中央部には、矩形状に前後方向に貫通する前面孔１１ｄが形成されている。かかる前面孔１１ｄは、前面部１１ａの中央部の大部分に（即ち大面積に亘って）設けられている。
【００２５】
後面部１１ｂは、正面視略長方形の平板状をなしている。後面部１１ｂには、図３（ｂ）に示すように、左右方向の中央側且つ上下方向の下方側に前後方向に貫通する断面略円形状の通信ケーブル孔１１ｅと、該通信ケーブル孔１１ｅ周縁から前後方向後方側に突設される第一環状部１１ｆとが形成されている。また、後面部１１ｂには、上下方向の中央で左右方向の左側と右側とに対称的に設けられ、前後方向に沿う断面略円形状をなすスイッチ孔１１ｇと、該スイッチ孔１１ｇの周縁から前後方向前方側に突設される第二環状部１１ｈとが形成されている。
【００２６】
側面部１１ｃは、前面部１１ａの周縁と後面部１１ｂの周縁とを前後方向に連結する側周壁である。具体的には、側面部１１ｃは、図３に示すように、上下方向（短手方向）に対向する上側面部１１ｉと下側面部１１ｊとを有すると共に、左右方向（長手方向）に対向する左側面部１１ｋと右側面部１１Ｌとを有する。
【００２７】
上側面部１１ｉは、平板状をなしており、前面部１１ａの上端と後面部１１ｂの上端とを連結してなる。下側面部１１ｊは、平板状をなしており、前面部１１ａの下端と後面部１１ｂの下端とを連結し、上側面部１１ｉと対向してなる。
【００２８】
左側面部１１ｋは、平板状をなしており、前面部１１ａの左端と後面部１１ｂの左端とを連結してなる。右側面部１１Ｌは、平板状をなしており、前面部１１ａの右端と後面部１１ｂの右端とを連結し、左側面部１１ｋと対向してなる。かかる左側面部１１ｋと右側面部１１Ｌとの上下方向の長さは、上側面部１１ｉと下側面部１１ｊとの左右方向の長さよりも短い。また、左側面部１１ｋの上方側と右側面部１１Ｌの上方側とには、左右方向で筐体外向きに突設された突起部１１ｍが形成されている。この突起部１１ｍは、略半球状をなしており、先端側ほど断面形状が小さくなっている。このような側面部１１ｃは、上側面部１１ｉと下側面部１１ｊと左側面部１１ｋと右側面部１１Ｌとの隣接する端部同士が連結して形成されている。また、各端部同士が交わって角をなす辺部は、Ｒ状（湾曲状）の角取り部１１ｎとなるように形成されている（図３参照）。
【００２９】
本実施形態における筐体１１は、前面部１１ａと後面部１１ｂと側面部１１ｃとからなるが（図３参照）、前後方向に分割可能、つまり、前片部１１０と後片部１１１とが係脱可能に構成されている（図４参照）。前片部１１０は、前後方向の前方側が閉塞され、後方側が開放してなる。具体的には、図４（ｂ）に示すように、前片部１１０は、前後方向の前方側の前面部１１ａと、該前面部１１ａの上下方向の端部と左右方向の端部と（即ち、前面部１１ａの周縁部）から前後方向の後方側に延設される前片側面部１１０Ａと、前面部１１ａの左右方向の端部近傍から前後方向の後方側に対称的に延設される支持片１１０Ｂとからなる。
【００３０】
前片側面部１１０Ａは、側面部１１ｃの前方側部分である。具体的には、前片側面部１１０Ａは、四つの平板状の部分、即ち前片上側面部１１０ａと前片下側面部１１０ｂと前片左側面部１１０ｃと前片右側面部１１０ｄとを有してなる。前片側面部１１０Ａは、前後方向の後方側端部の筐体１１内縁側に前後方向に沿う凸部１１０ｅを有する（図４（ｂ）の左下にある部分拡大図参照）。また、前片左側面部１１０ｃの上方側と前片右側面部１１０ｄの上方側とには、左右方向で筐体外向きに突設された突起部１１ｍが各々形成されている。
【００３１】
図４（ｂ）に示した支持片１１０Ｂは、前面部１１ａの背面に当該前面部１１ａの左右方向の端部近傍に離間して突設された一対の部材である。かかる一対の支持片１１０Ｂは、前後方向に沿う平板状の板状部１１０ｆと、該板状部１１０ｆの前後方向の後方側端部に形成され、左右方向の中央側に向かって突出する被載置部１１０ｇとを有する。
【００３２】
後片部１１１は、前後方向の後方側が閉塞され、前方側が開放されてなる。具体的には、後片部１１１は、前後方向の後方側の後面部１１ｂと、該後面部１１ｂの上下方向の端部及び左右方向の端部（即ち、後面部１１ｂの周縁部）から前後方向前方側に延設される後片側面部１１１Ａとからなる。
【００３３】
図４（ａ）に示すように、後片側面部１１１Ａは、側面部１１ｃの後方側部分である。具体的には、図４（ａ）及び（ｂ）に示すように、後片側面部１１１Ａは、四つの平板状の部分、即ち後片上側面部１１１ａと後片下側面部１１１ｂと後片左側面部１１１ｃと後片右側面部１１１ｄとを有してなる。後片側面部１１１Ａは、前後方向の前方側端部の筐体１１内縁側に前後方向に沿う凹部１１１ｅ（図４（ｂ）の左下にある部分拡大図参照）を有する。
【００３４】
かかる筐体１１は、前片部１１０と後片部１１１とが前後方向に凹凸嵌合して形成され、内部に空間が設けられて構成されている。具体的には、図４（ｂ）の左下にある部分拡大図に示すように、筐体１１は、前片部１１０の前片側面部１１０Ａにおける凸部１１０ｅが後片部１１１の後片側面部１１１Ａにおける凹部１１１ｅに嵌め合わされて形成されている。そして、筐体１１の側面部１１ｃは、前片部１１０の前片側面部１１０Ａと後片部１１１の後片側面部１１１Ａとで構成されている。具体的には、筐体１１の側面部１１ｃは、前片部１１０の前片側面部１１０Ａと後片部１１１の後片側面部１１１Ａとが連接されて形成されている。
【００３５】
ここで、筐体１１は、パッキン１６ａで封止されている。具体的には、筐体１１は、前片部１１０の前片側面部１１０Ａにおける凸部１１０ｅと後片部１１１の後片側面部１１１Ａにおける凹部１１１ｅとの間にパッキン１６ａを挟持している。つまり、前片部１１０と後片部１１１とが嵌合した状態で、凸部１１０ｅと凹部１１１ｅとの間に隙間が形成されており、該隙間にパッキン１６ａが設けられている（図４（ｂ）の左下にある部分拡大図参照）。換言すれば、筐体１１の前片部１１０と後片部１１１とは、パッキン１６ａを介して嵌合されている。尚、パッキン１６ａは、防水性と密封性とを有している。このようなパッキン１６ａは、例えばゴム製の詰め材や充填材などで構成されている。
【００３６】
かかる筐体１１は、内部空間の前後方向の中央側に通信制御部１４を収納している（図４（ｂ）参照）。また、筐体１１は、内部空間の前後方向の前方側であって、通信制御部１４の前方側に表示部１２，１３を収納している。更に、筐体１１は、内部空間の前後方向の後方側であって、通信制御部１４の後方側にスイッチ１５を収納している。
【００３７】
通信制御部１４は、ＣＰＵを搭載したＩＣ基板１４ａと、該ＩＣ基板１４ａに電気的に接続される通信ケーブル１４ｂとを備える。ＩＣ基板１４ａは、正面視略矩形の平板状をなしており、後述の表示部１２，１３を制御可能に構成される。
【００３８】
通信ケーブル１４ｂは、外部通信機器とＩＣ基板１４ａとが相互通信できるようにするための手段であり、例えばＬＡＮケーブルなどの接続ケーブルからなる。具体的には、通信ケーブル１４ｂは、一端が例えばコネクタ等を介してＩＣ基板１４ａに電気的に接続され、他端が外部通信機器に電気的に接続されてなる。
【００３９】
かかる通信制御部１４は、筐体１１の内部空間に収納されている。具体的には、ＩＣ基板１４ａは、筐体１１の前片部１１０の支持片１１０Ｂによって前後方向の中央側で支持される。詳細には、ＩＣ基板１４ａは、前片部１１０の支持片１１０Ｂにおける被載置部１１０ｇに載置（支持）され、支持片１１０Ｂの一対の板状部１１０ｆに挟まれて固定されている（図４（ｂ）参照）。通信ケーブル１４ｂは、図３（ｂ）に示すように、後片部１１１の第一環状部１１ｆによる孔と通信ケーブル孔１１ｅとを通って、ＩＣ基板１４ａと外部通信機器とを接続している。尚、ケーブル孔１１ｅは、通信ケーブル１４ｂ以外の部分が閉塞されている。
【００４０】
表示部１２，１３は、ピッキング対象物品のピッキング数量や個数に関する数値情報を表示するように構成され、数字を表示するデジタル表示部１２と、該デジタル表示部１２の周囲に設けられ、対応する物品をピッキング対象とするか否かに関するピッキング可否情報を表示すべく発光可能に構成される発光部１３とを有する。
【００４１】
デジタル表示部１２は、正面視略矩形のブロック体である。デジタル表示部１２は、数値情報として、ピッキング物品の数量や個数を前面１２ａに表示可能に構成されている。また、デジタル表示部１２は、通信制御部１４（ＩＣ基板１４ａ）と電気的に接続されて、通信制御部１４によって表示が制御されるように構成されている。かかるデジタル表示部１２は、筐体１１内の前方側に収納されており、前面側が前面孔１１ｄ内に配置されている。具体的には、デジタル表示部１２は、筐体１１内であって、ＩＣ基板１４ａの前面側且つＩＣ基板１４ａの中央部に配置されている（図４（ｂ）参照）。即ち、デジタル表示部１２は、筐体１１の前面部１１ａに対して中央領域に配置されている。
【００４２】
発光部１３は、ピッキング可否情報として、ピッキング対象物品が収納された収納棚の間口の位置を発光によって示すように構成されている。発光部１３は、アーチ状の導光部１３ａと、該導光部１３ａの後面に設けられる後面板１３ｂと、導光部１３ａの左右方向の両端近傍に設けられ、導光部１３ａの端面を照射する光源であるＬＥＤ１３ｃとを有している。
【００４３】
導光部１３ａは、例えばアクリルで形成される導光板である。導光部１３ａは、左右方向に長い正面視略矩形をなしている。具体的には、導光部１３ａは、左右方向の両端部よりも中央部側の領域（具体的には、中央部）が前方向に膨出してアーチ状をなすように構成されている（図４（ｂ）参照）。より詳細には、導光部１３ａは、平板状の第一平坦部１３Ａと、該第一平坦部１３Ａを挟んで左右対称に、第一平坦部１３Ａよりも後方側に設けられ、平板状をなす二つの第二平坦部１３Ｂと、第一平坦部１３Ａの第二平坦部１３Ｂ側の端部及び第二平坦部１３Ｂの第一平坦部１３Ａ側の端部を連結する第一湾曲部１３Ｃとを有する。尚、第一湾曲部１３Ｃは、第二平坦部１３Ｂから第一平坦部１３Ａに向かうにつれ前後方向の前方側に膨出してなる。また、第一平坦部１３Ａの後面には、正面視略矩形の窪み部１３ｄが前後方向の前方側に形成されている。かかる導光部１３ａの後面には、光を拡散させる処理としてシボ加工が全面（つまり、第一平坦部１３Ａの後面、第二平坦部１３Ｂの後面、第一湾曲部１３Ｃの後面）に施されている。
【００４４】
後面板１３ｂは、図４（ｂ）に示すように、導光部１３ａの後面に沿うアーチ形状をなすアーチ部１３ｅと、該アーチ部１３ｅを支える足部１３ｆとを有する。
【００４５】
アーチ部１３ｅは、左右方向に長い正面視略矩形をなしている。具体的には、アーチ部１３ｅは、左右方向の両端部よりも中央部側の領域（具体的には、中央部）が前方向に膨出してアーチ状をなすように構成されている（図４（ｂ）参照）。より詳細には、アーチ部１３ｅは、平板状の第三平坦部１３Ｄと、該第三平坦部１３Ｄを挟んで左右対称に、第三平坦部１３Ｄよりも後方側に設けられ、平板状をなす二つの第四平坦部１３Ｅと、第三平坦部１３Ｄの第四平坦部１３Ｅ側の端部及び第四平坦部１３Ｅの第三平坦部１３Ｄ側の端部を連結する第二湾曲部１３Ｆとを有する。尚、第二湾曲部１３Ｃは、前後方向の前方側に膨出してなる。また、第三平坦部１３Ｄの後面における中央部には、導光部１３ａの窪み部１３ｄの正面視形状と略同形をなす正面視略矩形の孔１３ｈが形成されている。アーチ部１３ｅの左右方向の長さは、導光部１３ａの左右方向の長さと等しく、筐体１１の左右方向の長さよりは短い。また、アーチ部１３ｅの上下方向の長さは、導光部１３ａの上下方向の長さと等しく、筐体１１の上下方向の長さよりは短い。アーチ部１３ｅの厚みは、導光部１３ａの厚みよりも薄い。かかるアーチ部１３ｅの表面（前面）１３ｇは、黒色に着色されている。
【００４６】
足部１３ｆは、平板状をなしている。かかる足部１３ｆは、アーチ部１３ｅの後面の左右方向に複数（例えば４つ）並べて配置され、前後方向の後方側に沿って形成されている。具体的には、足部１３ｆは、複数のうち、アーチ部１３ｅの左右方向の中央側に設けられる足部１３ｆほど前後方向の長さが長く、左右方向の端部側に設けられる足部１３ｆほど前後方向の長さが短くなるようにアーチ部１３ｅ後面に配置されており、各足部１３ｆの先端部は、いずれも基板１４ａの表面に当接するように構成されている（図４（ｂ）参照）。
【００４７】
ＬＥＤ１３ｃは、汎用のＬＥＤであり、光を照射可能に構成されている。また、ＬＥＤ１３ｃは、通信制御部１４（ＩＣ基板１４ａ）に電気的に接続されて、通信制御部１４に照射が制御されるように構成されている。
【００４８】
かかる発光部１３は、筐体１１内の前後方向の前方側に収納され、デジタル表示部１２を覆うようにして左右方向に沿って設けられている。具体的には、導光部１３ａの第二平坦部１３Ｂと第一湾曲部１３Ｃの後方部とが、筐体１１内、即ち前面部１１ａの後面側且つ前面部１１ａの左右方向の端部側に収納されている。ここで、第一湾曲部１３Ｃの後方部の前面と筐体１１の前面部１１ａの後面とはパッキン１６ｂを介して密着している（図４（ｂ）参照）。
【００４９】
また、第一平坦部１３Ａと第一湾曲部１３Ｃの前方部と（以下、導光部アーチ部）が、筐体１１の前面部１１ａの中央部に形成された前面孔１１ｄから筐体１１外に段差をなして膨出しており、この前面孔１１ｄの周縁に囲まれた発光部１３は、筐体１１の前面部１１ａにおける中央部の大部分に（即ち大面積を占有して）形成されている（図３（ａ）、図４参照）。尚、導光部アーチ部（第一平坦部１３Ａと第一湾曲部１３Ｃの前方部）は、前面孔１１ｄの周縁に設けられたパッキン１６ｂを介して筐体１１を封止している。
【００５０】
そして、後面板１３ｂは、アーチ部１３ｅの前面が導光部１３ａの後面に密着するようにして設けられている（図４（ｂ）参照）。具体的には、アーチ部１３ｅは、導光部１３ａの後面に配置され、第三平坦部１３Ｄが第一平坦部１３Ａに対応し、第二湾曲部１３Ｆが第一湾曲部１３Ｃに対応し、第四平坦部１３Ｅが第二平坦部１３Ｂに対応して設けられている。ここで、アーチ部１３ｅの第四平坦部１３Ｅと足部１３ｆとは、ＩＣ基板１４ａの前面に設置（若しくは、当接）されている。また、導光部１３ａの第一平坦部１３Ａの窪み部１３ｄによる窪みと後面板１３ｂの第三平坦部１３Ｄの孔１３ｈとは連通状態になっている。そして、ＩＣ基板１４ａの中央部に設けられたデジタル表示部１２の前方側部分は、後面板１３ｂの孔１３ｈを貫通して導光部１３ａの窪み部１３ｄに収納されている。また、ＬＥＤ１３ｃは、導光部１３ａの第二平坦部１３Ｂと離間した近傍に、第二平坦部１３Ｂに向けて光を照射するようにして配置されている。具体的には、ＬＥＤ１３ｃは、ＩＣ基板１４ａの前面における左右方向の両端側に突設されている（図４（ｂ）参照）。尚、本実施形態においては、ＬＥＤ１３ｃは、左右方向の両端側の各々に、上下方向に一列に３個のＬＥＤ１３ｃを並べて６個設けられている。
【００５１】
図４（ｂ）の右下にある部分拡大図に示すように、スイッチ１５は、押しボタンであり、押している間だけスイッチがオンになる自動復帰型スイッチである。具体的には、スイッチ１５は、固定部１５ａと該固定部１５ａに接触可能な可動部１５ｂとを有しており、可動部１５ｂが固定部１５ａに対して押下可能に構成されている。固定部１５ａは、所謂押釦式スイッチであって、円柱体をなしており、前面から後面にかけて径が略一定で構成されている。また、固定部１５ａは、後面に固定接点１５Ａを有する。
【００５２】
可動部１５ｂは、スイッチ孔１１ｇを封止するパッキン部材としての役割を兼ねるものである。本実施形態では、可動部１５ｂは、シリコンゴムにより形成されて弾性変形可能となされており、この可動部１５ｂを介して押釦式スイッチ（固定部１５ａ）を押下可能となされている。可動部１５ｂは、環状の裾部１５ｃと、円柱状部１５ｅと、裾部１５ｃ及び円柱状部１５ｅを連結する連結部１５ｆとを有する。裾部１５ｃは、環状のドーナツ形状をなしており、この環状の形状に沿って、断面略Ｕ字形状のＵ字溝１５ｄが形成されて構成されている。円柱状部１５ｅは、円柱体をなしており、前面から後面にかけて径が略一定で構成されている。また、円柱状部１５ｅは、前面に可動接点１５Ｂを有する。連結部１５ｆは、環状をなしている。具体的には、連結部１５ｆは、前後方向の前端の内径が大径をなし、前後方向の後端の内径が小径をなしており、前端から後端にかけて縮径している。また、連結部１５ｆは、可撓性（或いは弾性）を有する。かかる連結部１５ｆは、その前後方向の前端が裾部１５ｃの内径側周縁部に接続され、円柱状部１５ｅの前面側部分が中空側に突出するように、前後方向の後端が円柱状部１５ｅの後面周縁に接続されて、裾部１５ｃと円柱状部１５ｅとを連結している。
【００５３】
このような固定部１５ａと可動部１５ｂとは、固定部１５ａの後面（固定接点１５Ａ）と可動部１５ｂの円柱状部１５ｅの前面（可動接点１５Ｂ）とが離間して対向し、固定部１５ａが可動部１５ｂによって被されるようにして構成されている。
【００５４】
ここで、スイッチ１５は、固定部１５ａがＩＣ基板１４ａに電気的に接続されており、作業情報（例えばピッキング作業の完了信号）を外部通信機器に送信するトリガーとして構成されている。具体的には、スイッチ１５は、可動部１５ｂが固定部１５ａに対して押下されていないとき、ＯＦＦ（即ち、スイッチ１５の回路が遮断状態）の状態にある。この場合、通信制御部１４は、外部通信機器に作業情報を送信待機とする。一方、スイッチ１５は、可動部１５ｂが固定部１５ａに対して押下されているとき、ＯＮ（即ち、スイッチ１５の回路が導通状態）の状態にある。この場合、通信制御部１４は、外部通信機器に作業情報（作業完了情報）を送信する。
【００５５】
図３（ｂ）及び図４（ｂ）に示すように、スイッチ１５は、筐体１１内の前後方向の後方側に収納されており、ＩＣ基板１４ａの後方側で左右方向の左側と右側とに対称的に一つずつ設けられている。具体的には、図４（ｂ）に示すように、固定部１５ａは、ＩＣ基板１４ａの後面の上下方向の中央側で左右方向の左側と右側とに一つずつ設けられている。詳細には、固定部１５ａの前面がＩＣ基板１４ａの後面に配置されている。スイッチ１５の可動部１５ｂは、固定部１５ａから離間して該固定部１５ａを覆うように設けられている。即ち、裾部１５ｃは固定部１５ａを取り囲んでＩＣ基板１４ａの後面に設けられ、筐体１１の後面部１１ｂにおけるスイッチ孔１１ｇ周縁の第二環状部１１ｈが裾部１５ｃのＵ字溝１５ｄに嵌合している。ここで、Ｕ字溝１５ｄと第二環状部１１ｈとはパッキン１６ｃを介して密着している。また、円柱状部１５ｅは、後面側部分が筐体１１外に突出しないようにスイッチ孔１１ｇに挿入され、前面（可動接点１５Ｂ）が固定部１５ａの後面（固定接点１５Ａ）と離間して対向するように配置されている。尚、固定部１５ａと可動部１５ｂとの中心軸線は一致している。
【００５６】
図５及び図６に、保持部２が示されている。保持部２では、図５（ａ）の正面図を基準にして、上下方向、左右方向を規定し、紙面表裏方向を前後方向（厚み方向）と規定する。保持部２は、平面視略コ字形状のホルダ体２１と、該ホルダ体２１の正面視前面における左右方向の左側と右側とに対称的に設けられる押下部２２と、該押下部２２よりも左右方向の中央部側に対称的に設けられる押下位置決め手段２３と、押下部２２よりも左右方向の端部側に対称的に設けられる待機位置決め手段２４とを有する。
【００５７】
ホルダ体２１は、左右方向に長い板状の本体板２５と、該本体板２５の左右方向の両端部に対向して設けられる一対の側面板２６とを有する。また、ホルダ体２１は、上下方向に沿う中心軸に関して左右対称の形状をなしている。
【００５８】
本体板２５は、平板状をなしており、本体板２５の左右方向の長さは、上下方向の長さよりも長い。また、本体板２５の左右方向の長さは、筐体１１の左右方向の長さより若干長く、本体板２５の上下方向の長さは、筐体１１の上下方向の長さより若干長い又は略同一である。また、本体板２５の上下方向の下端側で左右方向の中央部は、略半円形状に前後方向に切り欠かれている。更に、本体板２５の左右方向の両端側には対称的にそれぞれ、二つのネジ孔２５ａが上下方向に離間して設けられている。そして、この左右方向の両端側に設けられるネジ孔２５ａの位置よりも僅かに左右方向の中央部側寄りの位置には対称的にそれぞれ、左右方向に細長い細孔２５ｂとネジ孔２５ｃ（図６（ｂ）の右側にある部分拡大図参照）とが上下方向に離間して設けられている。
【００５９】
また、本体板２５の後面の左右方向の中央側の上端には、引掛け部２５ｄが左右方向に３つ並んで後方向に突出して設けられている。この引掛け部２５ｄは、略直角に折曲した鉤爪状をなしており、上下方向の下向きに引掛け可能に構成されている（図５（ｂ）、図６（ｂ）参照）。また、本体板２５の後面の上下方向中央部且つ左右方向の全長に亘って断面略コ字形状の溝部２５ｅが設けられている。更に、本体板２５の後面には、溝部２５ｅよりも上下方向の上側と、左下側と、右下側との位置にそれぞれ、正面視略矩形の平板状をなすマグネット２５ｆが埋設されている（図５（ｂ）参照）。
【００６０】
一対の側面板２６は、本体板２５の左右方向の左端部に設けられる左側面板２６ａと、本体板２５の左右方向の右端部に設けられる右側面板２６ｂとで構成される。左側面板２６ａは、平板状をなしており、その右面の上部には、左右方向に半球状の窪みをなす凹部２６ｃが形成されている。右側面板２６ｂは、平板状をなしており、その左面の上部には、左右方向に半球状の窪みをなす凹部２６ｃが形成されている。左側面板２６ａの右面と右側面板２６ｂの左面とは、一対の対向面をなしており、左右方向に離間して略平行に対向している（図６（ａ）参照）。
【００６１】
押下部２２は、正面視略円形状の円柱体である。具体的には、押下部２２の径は、略一定であり、押下部２２の前後方向の長さは、側面板２６の前後方向の長さよりも短い。かかる押下部２２は、本体板２５の前面における上下方向の中央側で左右方向の左側と右側とに対称的に一つずつ設けられている（図５（ａ）、図６（ａ）参照）。
【００６２】
押下位置決め手段２３は、正面視略円形状の円柱体である。具体的には、押下位置決め手段２３の径は、略一定であり、押下部２２の径よりも大きい。押下位置決め手段２３の前後方向の長さは、押下部２２の前後方向の長さと略同一である。かかる押下位置決め手段２３は、本体板２５の前面における上下方向の下側で左右方向の左側と右側とに対称的に一つずつ設けられている（図５（ａ）、図６（ａ）参照）。
【００６３】
待機位置決め手段２４は、本実施形態においては、前方からの（即ち、本体部１からの）押圧力に抗しつつ弾性変形可能な板バネ部材である。この待機位置決め手段２４は、図６（ｂ）示すように、鉤爪部２４ａと該鉤爪部２４ａから延設されるアーチ部２４ｂとを有する。鉤爪部２４ａは、上下方向に細長い板状体の上下方向の上端部を前後方向の後方側に略直角に折曲げた形状をなしている。即ち、鉤爪部２４ａは、上下方向に沿う第一直線部２４ｃと前後方向に沿う第二直線部２４ｄとを有している。第一直線部２４ｃの上部には、正面視略円形の小孔２４ｅが形成されている。アーチ部２４ｂは、上下方向に細長い板状体を前後方向の前方側に湾曲させたアーチ状をなしている。そして、アーチ部２４ｂの上下方向の上端部と第一直線部２４ｃの上下方向の下端部とは、連接されている。
【００６４】
このような待機位置決め手段２４は、例えば可撓性を有する細長い板状の金属からなり、該金属を折り曲げ加工することで形成されている。かかる待機位置決め手段２４は、本体板２５の前面における上下方向の上部から中央部に亘って、左右方向の左側と右側とに対称的に一つずつ設けられている（図５（ａ）、図６（ａ）参照）。詳細には、待機位置決め手段２４は、本体板２５の細孔２５ｂに第二直線部２４ｄを挿入し、第一直線部２４ｃの小孔２４ｅにネジＮを貫通させて本体板２５のネジ孔２５ｃに螺合させることでホルダ体２１に取り付けられている（図６（ｂ）参照の右側にある部分拡大図参照）。
【００６５】
支持体３は、１又は複数の間口を備える棚Ｓである（図１（ｂ）参照）。本実施形態では、支持体３は、棒状や平板状からなる複数の縦材と横材とを上下左右に組み合わせて棚状に形成されて、複数の間口を備えている。この支持体３は、所定の奥行きを有して形成され、また、支持体３には、縦材と横材とに上下左右を囲まれた領域が間口として複数形成されている。支持体３の各間口には、物品を収納するコンテナが載置されている。このような支持体３は、各間口の上又は下の横材の前後方向の前面に平板状の平板部３１を備えている（図２（ａ）参照）。
【００６６】
平板部３１は、図２（ａ）に示すように、上下方向の中央部且つ左右方向に沿う断面略矩形のレール部３２を前面に有する。また、平板部３１は、上下方向にレール部３２を挟んで離間する二つのネジ孔を前面に有しており、この二つのネジ孔は左右方向に所定間隔で複数設けられている。かかる平板部３１は、磁石にくっ付く性質である強磁性を有する材質からなり、例えば鉄などの金属から構成される。
【００６７】
次に、上記ピッキング用の表示装置の設置手順並びにピッキング作業について説明する。ピッキング作業にかかる前に、上記構成からなる保持部２は、上記支持体３に取り付けられる。具体的には、保持部２は、複数用意されて、支持体３の各間口における平板部３１の各々に取り付けられる。詳細には、保持部２における本体板２５の後面の引掛け部２５ｄを支持体３における平板部３１の上端に引掛ける。そして、本体板２５の後面の溝部２５ｅを平板部３１のレール部３２に嵌め合わせる。また、保持部２を平板部３１にスライド移動させて、本体板２５の後面のネジ孔２５ａと平板部３１のネジ孔とを連通させる。そして、本体板２５と平板部３１との連通したネジ孔にネジを螺合させることで、保持部２は平板部３１に取り付けられる。尚、本体板２５の後面のマグネット２５ｆが平板部３１に対して磁力でくっ付いている。
【００６８】
そして、支持体３に取り付けられた保持部２の各々に対して、上記本体部１を一つずつ用意して取り付ける。具体的には、本体部１は、筐体１１の左側面部１１ｋの突起部１１ｍをホルダ体２１の左側面板２６ａの凹部２６ｃに嵌め込むと共に、筐体１１の右側面部１１Ｌの突起部１１ｍをホルダ体２１の右側面板２６ｂの凹部２６ｃに嵌め込むことで保持部に保持される。これにより、本体部１は、保持部２に対して着脱自在に枢支される（本体部１の左右の突起部１１ｍを結ぶ線を軸として回動可能なように、保持部２の左右の側壁板間に枢支される）。尚、かかる複数の本体部１は、外部通信機器に接続されている。具体的には、複数の本体部１は、ホストコンピュータに接続される１又は複数の端末コンピュータのうちの所定の端末コンピュータに通信ケーブル１４ｂを介して接続されている。
【００６９】
本体部１を保持部２に保持した状態では、図７に示すように、本体部１は、後面部１１ｂの上下方向の中央部近傍が保持部２の待機位置決め手段２４（アーチ部２４ｂ）によって支持され、下方側が上方側よりも前後方向の前方側に傾斜した状態で静止し（保持され）ている。このとき、スイッチ１５の可動部１５ｂは、固定部１５ａに接触しておらず、スイッチ１５がＯＦＦの状態、即ちスイッチ１５が非押下状態にある（図７（ｃ）の下側の部分拡大図参照）。つまり、本体部１は、スイッチ１５が非押下状態となる待機位置で保持されている。よって、本体部１が待機位置にあるとき、スイッチ１５がＯＦＦの状態にあり、通信制御部１４は作業情報としてのピッキング作業の完了信号を外部通信機器に送信しない。
【００７０】
このように保持部２が支持体３に取り付けられて、その保持部２に本体部１が保持された後に、ピッキング作業が実施される。具体的には、複数の本体部１のうち所定の本体部１（物品を取り出すべき棚の所定の間口に設置された本体部１）のみに対して外部通信機器からピッキング情報（具体的には、前記数値情報と前記ピッキング可否情報）が送信される。前記所定の本体部１では、通信制御部１４が前記ピッキング情報を受信する。
【００７１】
そして、通信制御部１４は、デジタル表示部１２と発光部１３のＬＥＤ１３ｃとを制御（操作）する。該制御に基づき、デジタル表示部１２には、前記数値情報に基づく数値（ピッキング対象物品のピッキング数量や個数）が表示される。また、前記制御に基づき、ＬＥＤ１３ｃが発光し、ＬＥＤ１３ｃからの光が導光部１３ａに照射され、当該導光部１３ａ（発光部１３）が面的に発光することによって、前記ピッキング可否情報に基づく対応物品のピッキング可否が表示される。
【００７２】
ここで、導光部１３ａでは、左右方向の外方から第二平坦部１３Ｂに光が照射されると、アーチ状をなす導光部１３ａの全体（全面）が発光し、即ち、筐体外に段差をなして露出している導光部アーチ部（第一平坦部１３Ａと第一湾曲部１３Ｃの前方部）の前面並びに上面並びに下面が発光する。かかる発光は、第一湾曲部１３Ｃの裏面のシボ加工による光の拡散、即ち拡散光によって、導光部アーチ部の前面並びに上面並びに下面において均一的になされる。更に、導光部１３ａの後面を透過した光は、光の吸収率が高い（即ち光の反射率が低い）黒色の表面を有するアーチ部１３ｅ（後面板１３ｂ）の表面１３ｇに至るので、アーチ部１３ｅ（後面板１３ｂ）の表面１３ｇからの光の反射（反射光）は抑制される。即ち、アーチ部１３ｅ（後面板１３ｂ）の表面１３ｇからの反射光の発生が軽減されることで、導光部１３ａの前面における光量のムラを抑制し、極めて均一的な発光が導光部１３ａの前面並びに上面並びに下面からなされる。
【００７３】
作業者は、複数の本体部１のうち所定の本体部１のみの表示部としてのデジタル表示部１２及び発光部１３に表示されたピッキング情報に基づいて、かかる所定の本体部１に対応する間口内のコンテナから物品を取り出す或いはコンテナに物品を投入するピッキング作業を行う。
【００７４】
ピッキング作業を終えると、作業者は、本体部１を保持部２に向けて押す。具体的には、作業者は、本体部１の前面部１１ａの一部或いは全部を保持部２の本体板２５に向けて押す。押された本体部１は、ホルダ体２１の右側面板２６ｂの凹部２６ｃと左側面板２６ａの凹部２６ｃとを結ぶ軸線周りに、あたかも暖簾のように前後方向の後方側に旋回（スイング）する（例えば、図７（ｂ）の本体部１の状態から図８（ｂ）の本体部１の状態への移動参照）。即ち、本体部１の上部側よりも下部側の方が前後方向の後方側に大きく移動する。換言すれば、本体部１の上側面部１１ｉ側が移動する距離（移動量）よりも本体部１の下側面部１１ｊ側が移動する距離（移動量）の方が大きい。
【００７５】
一方、このように本体部１を保持部２の本体板２５に向けて押すと、図８に示すように、本体部１は、保持部２の待機位置決め手段２４（アーチ部２４ｂ）を前後方向の後方側に撓ませて押し込む。そして、本体部１のスイッチ１５の可動部１５ｂにおける円柱状部１５ｅは、保持部２の押下部２２で押下される。すると、可動部１５ｂが弾性変形する（特に、連結部１５ｆが前後方向の前方側に撓む）ことで円柱状部１５ｅの前面（可動接点１５Ｂ）が固定部１５ａの後面（固定接点１５Ａ）に接触して押圧することによって、スイッチ１５がＯＮの状態、即ちスイッチ１５が押下状態となり、通信制御部１４は、作業情報としてのピッキング作業の完了信号を外部通信機器に送信する。尚、本体部１は、スイッチ１５が保持部２の押下部２２で押下されて押下状態となる押下位置まで待機位置から移動して所定の位置で止められる（図８（ｂ）及び（ｃ）参照）。即ち、本体部１が保持部２に対して所定の位置（角度）まで押され、スイッチ１５がこの押下状態にあるとき、本体部１の後面部１１ｂの下部は、保持部２の押下位置決め手段２３に当接し、本体部１は保持部２に止められた状態になる。よって、作業者が本体部１を必要以上に強く押した場合にも、スイッチ１５が必要以上に押されることがないので、スイッチ１５やその周辺の部材を破損する恐れがない。
【００７６】
また、通信制御部１４は、作業情報を外部通信機器に送信した後、デジタル表示部１２と発光部１３のＬＥＤ１３ｃとを再び制御（操作）する。該制御に基づき、デジタル表示部１２は、表示していた数値情報を非表示にすると共に、ＬＥＤ１３ｃは発光を止めて、表示していたピッキング可否情報を非表示にする（つまり、導光部１３ａは光らなくなる）。
【００７７】
尚、作業者が本体部１を押下位置まで押した後、本体部１から手を離すと、本体部１は、待機位置決め手段２４（アーチ部２４ｂ）の弾性力或いは付勢力、及び可動部１５ｂの弾性力（或いは、復元力）によって押下位置から待機位置まで押し戻される。即ち、本体部１は、押下位置まで押された後は、該押下位置から待機位置まで復帰して該待機位置で再び静止し（保持され）、スイッチ１５はＯＦＦの状態、即ち非押下状態となる。このように、本体部１は、待機位置と押下位置とを移動可能に構成されていると共に、スイッチ１５は、筐体１１と保持部２との協働で非押下状態と押下状態との切換えが可能に構成されている。
【００７８】
以上のように、本実施形態に係るピッキング用の表示装置では、表示部としてのデジタル表示部１２及び発光部１３に表示されたピッキング情報に従って作業がなされ、作業が終了した時に、スイッチ１５を押下して作業情報を外部通信機器に送信できる。
【００７９】
ここで、本体部１は、スイッチ１５が非押下状態となる待機位置で保持されていて、かつ、保持部２が配置されている側に外部から押されることで、スイッチ１５が筐体１１と保持部２との協働で押下されて押下状態となる押下位置に移動可能な状態で保持部２に保持されているので、本体部１のどこを押してもスイッチ１５を筐体１１と保持部２との協働で押下できる。よって、スイッチ１５を探す手間を省くことができ、作業効率を向上させることができる。
【００８０】
また、本実施形態に係るピッキング用の表示装置にあっては、本体部１の移動による距離は、筐体１１の一方の側面部側よりも他方の側面部側の方が大きい、即ち上側面部１１ｉ側よりも下側面部１１ｊ側の方が大きいので、移動距離を異ならせることによって、本体部１を押す感覚を分かり易くすることができる。しかも、本体部１を押す感覚を分かり易くすべく本体部１全体を大きく移動させることを要さないので、ピッキング用の表示装置の大型化を抑制（即ち、小型化）することができる。
【００８１】
また、本発明に係るピッキング用の表示装置にあっては、導光部１３ａが、左右方向の中央部側が両端部側よりも前方側に膨出するアーチ状をなし、前記中央部側が筐体１１の前面部１１ａから筐体外に膨出するように筐体１１に取り付けられており、光源（ＬＥＤ）１３ｃが、導光部１３ａの左右方向の両端部近傍から導光部１３ａを照射するので、導光部１３ａは、左右方向の中央部側が筐体１１の前面部１１ａと段差をなすように筐体外に膨出した状態で発光する。よって、作業者は、筐体１１の前面部１１ａを正面とした上下左右のあらゆる方向から、筐体外に膨出した導光部１３ａの発光を容易に認識することができ、従って、作業効率を向上させることができる。
【００８２】
具体的には、導光部１３ａの導光部アーチ部（第一平坦部１３Ａと第一湾曲部１３Ｃの前方部）は、筐体１１の前面部１１ａの中央部に形成された前面孔１１ｄから筐体１１外に段差をなして膨出した状態にあるので、導光部１３ａがＬＥＤ１３ｃによって発光された際に、作業者は、筐体１１の前面側の上下方向、前方向、左右方向のいずれの方向からでも発光を認識することができる。更に、発光部１３は筐体１１外に膨出して設けられており、発光面積を大きくすることができるので、作業者は発光を極めて認識し易い。
【００８３】
また、本実施形態に係るピッキング用の表示装置では、通信制御部１４が外部通信機器からピッキング可否情報を受信すると、通信制御部１４による制御によって導光部１３ａ（発光部１３）の前面が発光する。よって、本ピッキング用の表示装置では、複数の本体部１が用意されて、そのうち所定の本体部１にのみピッキング可否情報が送信されたとき、どの間口でピッキング作業を実施すべきかを迅速に把握でき、作業効率を向上させることができる。
【００８４】
また、本実施形態に係るピッキング用の表示装置では、発光部１３は、筐体１１の前面部１１ａにおける中央部の大部分に（即ち大面積を占有して）形成されているので、作業者が発光を認識し易くなっており、作業効率を向上させることができる。
【００８５】
また、本実施形態に係るピッキング用の表示装置では、デジタル表示部１２は、筐体１１の前面部１１ａに対して中央領域に配置、即ちセンター表示されているので、作業者に表示部が見え易くなっており、作業効率を向上させることができる。
【００８６】
また、本実施形態に係るピッキング用の表示装置では、発光部１３における導光部１３ａの前面並びに上面並びに下面がムラなく均一に発光するので、ピッキング可否情報を見易くでき、作業効率を向上させることができる。
【００８７】
更に、本実施形態に係るピッキング用の表示装置では、ピッキング作業が終了して、本体部１のスイッチ１５がＯＮにされて作業情報が外部通信機器に送信されると、通信制御部１４の制御によって、デジタル表示部１２に表示された数値情報が非表示にされ、発光部１３のＬＥＤ１３ｃの発光が止められてピッキング可否情報が非表示にされる。よって、本ピッキング用の表示装置では、作業者が既に実施したピッキング作業を誤って再度実施するといった人為的ミスを防止して作業効率を向上させることができる。
【００８８】
また、本実施形態に係るピッキング用の表示装置では、筐体１１の前片部１１０と後片部１１１とがパッキン１６ａで封止され、導光部アーチ部（第一平坦部１３Ａと第一湾曲部１３Ｃの前方部）は、前面孔１１ｄの周縁に設けられたパッキン１６ｂを介して筐体１１を封止している。更に、第一湾曲部１３Ｃの後方部の前面と筐体１１の前面部１１ａの後面との間にもパッキン１６ｂが設けられ、Ｕ字溝１５ｄと第二環状部１１ｈとの間にパッキン１６ｃが設けられているので、筐体１１の防水性及び密封性を向上させることができる。即ち、ピッキング作業が水滴などで濡れ易い場所で行われてピッキング用の表示装置に水がかかろうとも、筐体１１内に水が侵入することがない、換言すれば、筐体１１が防水（防滴）されているので、本体部１を壊れ難くし、製品寿命を長くすることができる。
【００８９】
また、本実施形態に係るピッキング用の表示装置では、保持部２の本体板２５が引掛け部２５ｄとマグネット２５ｆとネジ孔２５ａと溝部２５ｅとを有している。それゆえ、これらを適宜用いることで支持体３への取り付けを極めて容易かつ確実に行うことができ、かつ、ピッキングする物品やこれを収納するケースなどの大きさに応じて棚の各間口の幅を変更する際に、表示装置の付け替えや移動が容易にできる。
【００９０】
尚、本発明に係るピッキング用の表示装置は、上記実施形態に限定されるものではなく、本発明の要旨を逸脱しない範囲で種々の変更が可能である。
【００９１】
例えば、本実施形態では、スイッチ１５は筐体１１内に収納される場合について説明したが、これに限らず、スイッチ１５は保持部２に配置されることができる。この場合、スイッチ１５は、固定部１５ａがＩＣ基板１４ａにケーブル等を介して電気的に接続され、或いは、保持部２（本体板２５）に新たにＩＣ基板と通信ケーブル１４ｂとを設けて、固定部１５ａが該ＩＣ基板に電気的に接続されて、筐体１１と保持部２との協働で非押下状態と押下状態との切換えが可能に構成される。かかるスイッチ１５は、本体部１を保持部２に保持した状態では、非押下状態をなし、本体部１を保持部２に向けて押すと、筐体１１の後面部１１ｂで押下されて押下状態となる。尚、本体部１には、筐体１１の後面部１１ｂにスイッチ１５を押下する突起状の押下部を設けてもよい。
【００９２】
また、本実施形態では、本体部１は、筐体１１の左側面部１１ｋと右側面部１１Ｌとに突起部１１ｍを有し、該突起部１１ｍを用いて保持部２に枢支されるように保持される場合について説明したが、これに限らず、本体部１は、保持部２に軸支されるように保持されることができる。具体的には、本体部１は、筐体１１の左側面部１１ｋと右側面部１１Ｌとに筐体外向きに左右方向に沿う棒状の突起部を有する。また、保持部２は、ホルダ体２１の左側面板２６ａと右側面板２６ｂとの上端の前後方向中央部から下方に所定長の切欠きを有する。かかる本体部１は、突起部が保持部２の切欠きに上方から嵌め入れられることで保持部２に保持される。
【００９３】
その他、本体部１は、保持部２にスライド式に保持されることができる。具体的には、本体部１は、筐体１１の左側面部１１ｋと右側面部１１Ｌとに上下方向に沿う直方体状の突起部を有する。また、保持部２は、ホルダ体２１の左側面板２６ａの右面と右側面板２６ｂの左面との上端から下端近傍に亘って設けられる溝部を有する。この溝部は、上下方向に沿って断面略コ字形状をなしており、下側ほど前後方向の溝幅が大きくなるように構成されている。かかる本体部１は、突起部を保持部２の溝部に上端側から下方にスライドさせて保持部２に保持される。尚、溝部は、下側ほど前後方向の溝幅が大きいので、本体部１が待機位置と押下位置との間を前後方向に移動する距離は、本体部１の上側面部１１ｉ側よりも下側面部１１ｊ側の方が大きくなる。
【００９４】
また、本実施形態では、本体部１が待機位置と押下位置との間を前後方向に移動する距離は、本体部１の上側面部１１ｉ側よりも下側面部１１ｊ側の方が大きい場合について説明したが、これに限らず、本体部１の移動する距離は、本体部１の上側面部１１ｉ側と下側面部１１ｊ側とが略等しくなるようにすることができる。具体的には、本体部１は、筐体１１の左側面部１１ｋと右側面部１１Ｌとに上下方向に沿う直方体状の突起部を有する。また、保持部２は、ホルダ体２１の左側面板２６ａの右面と右側面板２６ｂの左面との上端から下端近傍に亘って設けられる溝部を有する。この溝部は、上下方向に沿って断面略コ字形状をなしており、前後方向の溝幅が略均一に構成されている。かかる本体部１は、突起部を保持部２の溝部に上端側から下方にスライドさせて保持部２に保持される。また、本体部１は、溝部の前後方向の溝幅内で待機位置と押下位置とを前後方向に平行移動可能に保持部２に保持されている。
【００９５】
また、本実施形態では、スイッチ１５は、円柱状部１５ｅが筐体１１外に突出することなく筐体１１内に収納される場合について説明したが、これに限らず、スイッチ１５は、例えば円柱状部１５ｅの後面側部分がスイッチ孔１１ｇから筐体１１外に突出するように構成されてもよい。この場合、保持部２の押下部２２は、突出して構成されなくともよく、例えばフラットな面や、スイッチ１５の筐体１１外に突出した部分の高さよりも高さが低い溝部から構成されることができる。
【００９６】
また、本実施形態では、スイッチ１５は、２つ設けられる場合について説明したが、これに限らず、スイッチ１５は、１つだけ又は３つ以上設けられてもよい。
【００９７】
また、本実施形態では、スイッチ１５は、自動復帰型スイッチで構成される場合について説明したが、これに限らず、スイッチ１５は、押すたびにオンとオフが反転する位置保持型スイッチで構成されることができる。
【００９８】
また、本実施形態では、アーチ部１３ｅの表面（前面）１３ｇは、黒色に着色される場合について説明したが、これに限らず、アーチ部１３ｅの表面（前面）１３ｇは、白色や銀色などに着色されることができる。その他にも、アーチ部１３ｅの表面（前面）１３ｇに黒色のシート部材を配置してもよいし、或いは、アーチ部１３ｅ自体を黒色や白色や銀色などの材料で構成してもよい。
【００９９】
また、本実施形態では、保持部２は、待機位置決め手段２４と押下位置決め手段２３とを備える場合について説明したが、これに限らず、保持部２は、待機位置決め手段２４と押下位置決め手段２３とのいずれも備えなくともよいし、いずれか一方のみを備えて構成されてもよい。例えば、スイッチ１５がスイッチ孔１１ｇから筐体１１外に突出して構成されるような場合、かかる突出したスイッチ１５によって待機位置の位置決め及び押下位置の位置決めがなされるので、保持部２は、待機位置決め手段２４と押下位置決め手段２３とを備えない構成を採用することができる。或いは、待機位置決め手段２４、押下位置決め手段２３は、保持部側にではなく、本体部１の後面部１１ｂに設けられるようにしてもよい。
【０１００】
また、本実施形態では、保持部２の本体板２５は、引掛け部２５ｄとマグネット２５ｆとネジ孔２５ａと溝部２５ｅとを有する場合について説明したが、これに限らず、本体板２５は、支持体３に取り付けるべく支持体３の形状に応じて、様々な変更が可能である。例えば、本体板２５は、引掛け部２５ｄとマグネット２５ｆとネジ孔２５ａと溝部２５ｅとのうち、いずれか一つ或いは二つ以上の組合せを有して構成されてもよい。また、引掛け部２５ｄの形状は、略直角に折曲した鉤爪状でなくとも直線形状や上方に凸をなすように湾曲したフック形状などでもよい。更に、本体板２５は、マグネット２５ｆに代えて、或いは、マグネット２５ｆと共に、別の取付手段としてネジ留め手段や、両面テープなどの貼付手段などを具備することができる。
【０１０１】
また、本実施形態では、本体部１が待機位置と押下位置との間を前後方向に移動する距離は、本体部１の上側面部１１ｉ側よりも下側面部１１ｊ側の方が大きい場合について説明したが、これに限らず、本体部１の移動する距離は、本体部１の下側面部１１ｊ側よりも上側面部１１ｉ側の方が大きい、或いは、本体部１の左右方向の一側面部側よりも他側面部側の方が大きくなるように本体部１と保持部２とを構成することができる。例えば、本実施形態に係る本体部１と保持部２との正面視の左右方向を上下方向に変更して、本体部１と保持部２とを構成することができる。この場合、本体部１の移動する距離は、本体部１の左右方向の一側面部側よりも他側面部側の方が大きくなるようにすることができる。
【０１０２】
また、本実施形態では、保持部２と支持体３とが別体で構成され、保持部２が支持体３に取り付けられる場合について説明したが、これに限らず、保持部２と支持体３とは一体的に構成されることができる。
【０１０３】
また、本実施形態では、ピッキング支援システムは、１又は複数のホストコンピュータ１０１〜１０ｎと、１又は複数の端末コンピュータ２０１〜２０ｍと、複数のピッキング用の表示装置３１１〜３１ｘ，３２１〜３２ｙ，…，３ｍ１〜３ｍｚとから構成される場合について説明したが、これに限らず、ピッキング支援システムを構成するホストコンピュータ、端末コンピュータ、ピッキング用の表示装置の台数は各々、任意に設定・変更できる。例えば、ピッキング支援システムは、ホストコンピュータが１台、端末コンピュータが１台、ピッキング用の表示装置が６台で構成されることや、ホストコンピュータが５台、端末コンピュータが１０台、ピッキング用の表示装置が６０台などで構成されることができる。
【符号の説明】
【０１０４】
１…本体部、２…保持部、３…支持体、１１…筐体、１１ａ…前面部、１１ｂ…後面部、１１ｃ…側面部、１１ｍ…突起部、１２…表示部、１３…発光部、１３ａ…導光板、１３ｂ…後面板、１３ｃ…ＬＥＤ、１４…通信制御部、１４ａ…ＩＣ基板、１４ｂ…通信ケーブル、１５…スイッチ、１５ａ…固定部、１５ｂ…可動部、１６ａ〜１６ｃ…パッキン、２１…ホルダ体、２２…押下部、２３…押下位置決め手段、２４…待機位置決め手段、２５…本体板、２５ｄ…引掛け部、２６…側面板、２６ｃ…凹部、３１…平板部、３２…レール部
【図１】
0005836059.tif 000002
【図２】
0005836059.tif 000003
【図３】
0005836059.tif 000004
【図４】
0005836059.tif 000005
【図５】
0005836059.tif 000006
【図６】
0005836059.tif 000007
【図７】
0005836059.tif 000008
【図８】
0005836059.tif 000009